(57)【要約】【課題】オーバースプレー塗料の捕捉を従来よりも安価に行うことが可能な塗装ブースの提供を目的とする。【解決手段】本発明の塗装ブース１０は、塗装室２０から排出された空気が流れる経路に、塗装室２０において塗装対象ワークＷに塗着しなかったオーバースプレー塗料９１を捕捉する塗料捕捉機構４０を備える。塗料捕捉機構４０は、回転軸部４２と回転軸部４２から径方向外側に延びるブラシ４３とを有する回転ブラシ４１と、回転ブラシ４１の回転に伴ってブラシ４３をすく櫛部材４５と、を備えている。【選択図】図１
2018176030.tif 000002
【特許請求の範囲】
【請求項１】
塗装室から排出された空気が流れる経路に設けられて、前記塗装室において被塗着物に塗着しなかったオーバースプレー塗料を捕捉する塗料捕捉機構を備えた塗装ブースであって、
前記塗料捕捉機構は、
回転軸部と、前記回転軸部から径方向外側に延びるブラシと、を有する回転ブラシと、
前記回転ブラシの回転に伴って前記ブラシをすく櫛部材と、を備えている。
【請求項２】
請求項１に記載の塗装ブースにおいて
前記回転ブラシは、前記回転軸部の軸方向に分割可能に構成されている。
【請求項３】
請求項１又は２に記載の塗装ブースにおいて、
前記塗料捕捉機構は、前記塗装室の下方の床下室に設けられている。
【請求項４】
請求項３に記載の塗装ブースにおいて
前記塗料捕捉機構は、前記床下室の底壁を構成し、前記塗装ブースの短手方向の一方側へ下るように傾斜して、前記櫛部材によって前記ブラシから取り除かれた前記オーバースプレー塗料を集める傾斜底壁部を備えている。
【請求項５】
請求項３又は４に記載の塗装ブースにおいて
前記回転軸部は、前記塗装ブースの短手方向に沿って延びている。
【請求項６】
請求項１乃至５のうち何れか１の請求項に記載の塗装ブースにおいて、
前記塗料捕捉機構は、
前記塗装室から排出された空気が流れる排気ダクトと、
前記排気ダクトに取り付けられて、前記オーバースプレー塗料を捕捉する捕捉フィルタと、をさらに有する。
【請求項７】
請求項１乃至６のうち何れか１の請求項に記載の塗装ブースにおいて、
前記櫛部材は、前記回転軸部の軸方向に沿って移動可能に構成されている。
【発明の詳細な説明】
【技術分野】
【０００１】
本発明は、塗装室において被塗着物に塗着しなかったオーバースプレー塗料を捕捉する塗料捕捉機構を備えた塗装ブースに関する。
【背景技術】
【０００２】
特許文献１の塗装ブースは、塗装室の下方の床下室の空気を捕集するフィルタ装置によってオーバースプレー塗料を捕捉する。
【先行技術文献】
【特許文献】
【０００３】
【特許文献１】特開２０１２−２３２２５４号公報（段落［００８７］、図５）
【発明の概要】
【発明が解決しようとする課題】
【０００４】
しかしながら、特許文献１の塗装ブースでは、フィルタ装置の設置及びフィルタの交換にかかるコストが高いという問題があった。
【０００５】
本発明は、上記事情に鑑みてなされたもので、オーバースプレー塗料の捕捉を従来よりも安価に行うことが可能な塗装ブースの提供を目的とする。
【課題を解決するための手段】
【０００６】
上記目的を達成するためになされた請求項１の発明は、塗装室から排出された空気が流れる経路に設けられて、前記塗装室において被塗着物に塗着しなかったオーバースプレー塗料を捕捉する塗料捕捉機構を備えた塗装ブースであって、前記塗料捕捉機構は、回転軸部と、前記回転軸部から径方向外側に延びるブラシと、を有する回転ブラシと、前記回転ブラシの回転に伴って前記ブラシをすく櫛部材と、を備えている。
【０００７】
請求項２の発明は、請求項１に記載の塗装ブースにおいて前記回転ブラシは、前記回転軸部の軸方向に分割可能に構成されている。
【０００８】
請求項３の発明は、請求項１又は２に記載の塗装ブースにおいて、前記塗料捕捉機構は、前記塗装室の下方の床下室に設けられている。
【０００９】
請求項４の発明は、請求項３に記載の塗装ブースにおいて前記塗料捕捉機構は、前記床下室の底壁を構成し、前記塗装ブースの短手方向の一方側へ下るように傾斜して、前記櫛部材によって前記ブラシから取り除かれた前記オーバースプレー塗料を集める傾斜底壁部を備えている。
【００１０】
請求項５の発明は、請求項３又は４に記載の塗装ブースにおいて前記回転軸部は、前記塗装ブースの短手方向に沿って延びている。
【００１１】
請求項６の発明は、請求項１乃至５のうち何れか１の請求項に記載の塗装ブースにおいて、前記塗料捕捉機構は、前記塗装室から排出された空気が流れる排気ダクトと、前記排気ダクトに取り付けられて、前記オーバースプレー塗料を捕捉する捕捉フィルタと、をさらに有する。
【００１２】
請求項７の発明は、請求項１乃至６のうち何れか１の請求項に記載の塗装ブースにおいて、前記櫛部材は、前記回転軸部の軸方向に沿って移動可能に構成されている。
【発明の効果】
【００１３】
［請求項１〜６の発明］
本発明では、塗装室から排出された空気に含まれるオーバースプレー塗料が回転ブラシのブラシに付着される。ブラシに付着したオーバースプレー塗料は、回転ブラシの回転に伴って櫛部材によって取り除かれる。本発明によれば、塗料捕捉機構を簡易な構成にしてオーバースプレー塗料を捕捉することが可能となり、塗料捕捉機構のイニシャルコストの低減が図れられる。また、本発明では、回転ブラシを回転させるだけで、ブラシに付着したオーバースプレー塗料を取り除くことができるので、塗料捕捉機構のランニングコストの低減が図られる。このように、本発明では、塗料捕捉機構のイニシャルコスト及びランニングコストの低減が図られるので、オーバースプレー塗料の捕捉を従来よりも安価に行うことが可能となる。
【００１４】
ここで、例えば、被塗着物の側方や下方の領域ではオーバースプレー塗料が少なくなるというように、塗装室から排出された空気が流れる経路においては、オーバースプレー塗料の密度にばらつきが生じる。その結果、回転ブラシにも汚れ易い部位と汚れ難い部位が生じる。ここで、回転ブラシが回転軸部の軸方向に分割可能になっていると、回転ブラシの汚れ易い部位についてのみ、清掃や交換を行えばよくなり、回転ブラシのメンテナンスが容易となる（請求項２の発明）。
【００１５】
なお、塗料捕捉機構は、塗装室の側方に備えられてもよいし、塗装室の下方の床下室に設けられてもよい（請求項３の発明）。後者の場合において、床下室の底壁に、塗装ブースの短手方向の一方側へ下るように傾斜する底壁傾斜部が設けられた構成とすれば、ブラシから取り除かれたオーバースプレー塗料の回収を容易に行うことができる（請求項４の発明）。また、後者の場合において、回転ブラシの回転軸部を塗装ブースの短手方向に沿って配置すれば、回転ブラシを短くすることが可能となる（請求項５の発明）。
【００１６】
なお、回転ブラシに加えて、オーバースプレー塗料を捕捉する捕捉フィルタが用いられてもよい（請求項６の発明）。この場合であっても、捕捉フィルタのみでオーバースプレー塗料を捕捉する場合と比較して、捕捉フィルタの設置数を減らすことができるので、イニシャルコストの低減が図られる。また、捕捉フィルタの交換頻度も減らすことができるので、ランニングコストの低減が図られる。
【００１７】
［請求項７の発明］
本発明では、櫛部材を回転軸部の軸方向に移動させることで、回転ブラシのブラシに付着したオーバースプレー塗料を落とすことが可能となる。これにより、回転ブラシの交換頻度を低減することが可能となる。
【図面の簡単な説明】
【００１８】
【図１】本発明の一実施形態に係る塗装ブースの側断面図
【図２】塗装ブースの正断面図
【図３】床下室の側断面図
【図４】床下室の正断面図
【図５】回転ブラシの斜視図
【図６】回転ブラシの分解斜視図
【発明を実施するための形態】
【００１９】
以下、本発明の一実施形態を図面に基づいて説明する。図１，２に示されるように、本実施形態の塗装ブース１０は、隣り合わせに配置された別の処理ブース（図示せず）と共に、一連の塗装処理ラインを構成する。塗装ブース１０は、上から順に天井室１５、塗装室２０、床下室３０を備えた階層構造をなしている。そして、外部から天井室１５に送給された空気が、塗装室２０、床下室３０を通過する。床下室３０の空気は、排気ダクト３５によって吸引される。
【００２０】
天井室１５は、上下方向で対向した天井パネル１６及びブース上端壁１２と、１対のブース側壁１１，１１と、ブース幅方向と直交した水平方向（以下、「ワーク搬送方向」という）で対向したブース端部壁１３，１３とで囲まれている。天井室１５には図示しないダクトを通じて空気が送給され、その空気が天井パネル１６の全体から塗装室２０内に供給される。なお、塗装ブース１０におけるワーク搬送方向の長さは、ブース幅方向の長さより長くなっている。即ち、ワーク搬送方向は、塗装ブース１０の長手方向であり、ブース幅方向は、塗装ブース１０の短手方向である。
【００２１】
塗装室２０内には、フロアコンベヤ２１が設けられている。フロアコンベヤ２１は、ブース幅方向の中央部でワーク搬送方向に延びたガイドレール２１Ａとそのガイドレール２１Ａに案内されて移動する載荷台２１Ｂとで構成されている。そして、本発明の「被塗着物」としての塗装対象ワークＷ（本実施形態では、自動車ボディ）が、載荷台２１Ｂによって下方から支持された状態で、連続的又は間欠的に搬送される。
【００２２】
また、塗装室２０のうちワーク搬送方向の中間位置には、塗装機２２が配置されている。塗装機２２は、塗装対象ワークＷが通過する領域の上方に配置されていて、塗装対象ワークＷの上方から塗料を吹き付ける。なお、塗装機２２は、塗装室２０の所定位置に固定されてもよいし、多関節ロボットに取り付けられてもよい。
【００２３】
塗装室２０と床下室３０との間は、スノコ板２４によって区画されている。塗装室２０で塗装対象ワークＷに塗着しなかったオーバースプレー塗料９１（図３，４参照）は、スノコ板２４を通って床下室３０へと落ちる。
【００２４】
床下室３０には、オーバースプレー塗料９１を捕捉する塗料捕捉機構４０が備えられている。塗料捕捉機構４０は、複数の回転ブラシ４１と、複数の櫛部材４５と、を備えている。
【００２５】
図３，４に示されるように、回転ブラシ４１は、水平方向に沿って延びる回転軸部４２と、回転軸部４２から径方向外側に延びるブラシ４３と、を備えている。回転ブラシ４１は、回転軸部４２を中心にして回転する。回転ブラシ４１の回転は、図示しない駆動源によって行われてもよいし、作業者の操作によって行われてもよい。
【００２６】
回転軸部４２は、ブース幅方向、即ち、塗装ブース１０の短手方向に沿って配置されている。これにより、回転ブラシ４１を短くすることができる。ブラシ４３は、１つの回転軸部４２に対して複数備えられ、回転軸部４２の周りに放射状に配置されている。なお、ブラシ４３は、回転軸部４２の周方向で等間隔に配置されることが好ましい。
【００２７】
図５，６に示されるように、ブラシ４３は、回転軸部４２に着脱可能に構成されている。この構成によれば、ブラシ４３のみを交換することで、回転ブラシ４１をメンテナンスすることができる。図５，６の例では、回転軸部４２の外周面に支持突部４２Ａが設けられていて、その支持突部４２Ａの先端面に、回転軸部４２の軸方向に延びる係合溝４２Ｍが形成されている。また、ブラシ４３は、直線状に形成された支持ベース４３Ａに毛４３Ｈが植設された構造になっている。そして、支持ベース４３Ａが支持突部４２Ａの係合溝４２Ｍに嵌め込まれた状態でボルト等により固定されることで、ブラシ４３が回転軸部４２に固定される。
【００２８】
また、回転軸部４２は、軸方向で複数の軸部構成体４２Ｋに分割可能に構成されている。具体的には、図５，６に示されるように、軸部構成体４２Ｋの軸方向の一端側の端面には、連結突部４２Ｔが設けられている。また、軸部構成体４２Ｋの軸方向の他端側の端面には、連結突部４２Ｔと結合する連結凹部（図示せず）が設けられている。そして、連結突部４２Ｔが連結凹部と結合することで、複数の軸部構成体４２Ｋが軸方向に連結されて回転軸部４２を構成している。なお、連結突部４２Ｔと連結凹部の結合は、螺合や嵌合によって行われる。
【００２９】
図４に示されるように、櫛部材４５は、櫛背４５Ａと複数の櫛歯４５Ｂを備えている。櫛背４５Ａは、帯状に形成され、回転軸部４２よりも下方に配置されて回転軸部４２に沿って延在する。櫛歯４５Ｂは、櫛背４５Ａから上方に向かって突出している。櫛歯４５Ｂは、ブラシ４３よりも長くなっていて、ブラシ４３よりも硬質な材料（例えば、金属）で構成されている。また、隣接する櫛歯４５Ｂ，４５Ｂ同士の間隔は、ブラシ４３の毛４３Ｈの径よりも大きくなっている。
【００３０】
櫛部材４５は、回動軸部４１Ａの軸方向に沿って移動可能となっている。櫛部材４５は、図示しない駆動源によって駆動されてもよいし、作業者によって操作されてもよい。なお、具体的には、櫛背４５Ａから延設された図示しない延長シャフトがブース側壁１１（図２）を貫通する。そして、その延長シャフトが、駆動源又は作業者の操作により回転軸部４１Ａの軸方向に沿って移動する。
【００３１】
図２に示されるように、床下室３０に対してブース幅方向の一方側には、オーバースプレー塗料９１を回収する塗料回収装置５０が備えられている。また、図２，４に示されるように、床下室３０の底壁３０Ｂは、ブース幅方向の一方側へ向かうにつれて下るように傾斜した傾斜底壁部４７となっている。そして、櫛部材４５によってブラシ４１から取り除かれたオーバースプレー塗料９１は、傾斜底壁部４７の傾斜によってブース幅方向の一方側へと移動し、塗料回収装置５０に集められる。なお、傾斜底壁部４７は、塗料捕捉機構４０の一部を構成する。
【００３２】
ここで、塗装ブース１０では、上述した排気ダクト３５は、床下室３０に対してブース幅方向の一方側に配置され、床下室３０の空気をブース幅方向の一方側に吸引する。従って、傾斜底壁部４７上のオーバースプレー塗料９１は、排気ダクト３５の吸引によってもブース幅方向の一方側へと移動し易くなる。
【００３３】
図２に示されるように、本実施形態では、排気ダクト３５の途中にフィルタ装置３６が設けられている。フィルタ装置３６に備えた捕捉フィルタ３６Ｆは、排気ダクト３５を通過する空気に含まれるオーバースプレー塗料９１を捕捉する。
【００３４】
本実施形態の塗装ブース１０の構成に関する説明は以上である。次に、塗装ブース１０の作用効果について説明する。
【００３５】
本実施形態の塗装ブース１０では、塗装室２０から床下室３０に落ちてきたオーバースプレー塗料９１が回転ブラシ４１Ａのブラシ４３に付着される。ブラシ４３に付着したオーバースプレー塗料９１は、回転ブラシ４１の回転に伴って櫛部材４５によって取り除かれる。このように、本実施形態の塗装ブース１０によれば、塗料捕捉機構４０を簡易な構成にしてオーバースプレー塗料９１を捕捉することが可能となり、塗料捕捉機構４０のイニシャルコストの低減が図られる。また、回転ブラシ４１を回転させるだけで、ブラシ４３に付着したオーバースプレー塗料９１を取り除くことができるので、塗料捕捉機構４０のランニングコストの低減が図られる。このように、本実施形態では、塗料捕捉機構のイニシャルコスト及びランニングコストの低減が図られるので、オーバースプレー塗料９１の捕捉を従来よりも安価に行うことが可能となる。
【００３６】
なお、ここで、本実施形態の塗装ブース１０では、回転ブラシ１０に加えて、オーバースプレー塗料９１を捕捉するフィルタ装置３５も備えられているが、本実施形態の構成によれば、フィルタ装置３５の捕捉フィルタ３６のみでオーバースプレー塗料９１を捕捉する場合と比較して、捕捉フィルタ３５の設置数を減らすことができる。また、捕捉フィルタ３６の交換頻度も減らすことができる。従って、イニシャルコスト及びランニングコストの低減が図られている。
【００３７】
また、本実施形態の塗装ブース１０では、回転ブラシ４１が回転軸部４２の軸方向に分割可能となっているので、回転ブラシ４１の汚れ易い部位についてのみ、清掃や交換を行えばよくなり、回転ブラシ４１のメンテナンスが容易となる。しかも、ブラシ４３が回転軸部４２に対して着脱可能に固定されているので、ブラシ４３のみを交換すればよくなる。
【００３８】
また、本実施形態の塗装ブース１０では、床下室３０の底壁３０Ｂを構成する傾斜底壁部４７がブース幅方向（塗装ブース１０の短手方向）の一方側へ向かうにつれて下るように傾斜しているので、ブラシ４３から取り除かれたオーバースプレー塗料９１の回収を容易に行うことができる。しかも、塗装ブース１０は、床下室３０の空気をブース幅方向の一方側に吸引する排気ダクト３５を備えているので、傾斜底壁部４７上のオーバースプレー塗料９１をブース幅方向の一方側に移動させ易くなる。
【００３９】
本実施形態の塗装ブース１０では、櫛部材４５を回転軸部４２の軸方向に移動させることで、回転ブラシ４１のブラシ４３に付着したオーバースプレー塗料を落とすことが可能となる。これにより、回転ブラシ４１の交換頻度を低減することが可能となる。
【００４０】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４１】
（１）回転軸部４２（軸部構成体４２Ｋ）に対してブラシ４３が着脱不能に固定されていてもよい。
【００４２】
（２）回転軸部４２が軸方向に分割不能であってもよい。
【００４３】
（３）回転ブラシ４１の回転軸部４２がワーク搬送方向、即ち、塗装ブース１０の長手方向に沿って配置されてもよい。また、回転軸部４２は、上下方向に沿って配置されてもよい。
【００４４】
（４）フィルタ装置３５を備えない構成としてもよい。
【００４５】
（５）ブラシ４３を環状にして、回転軸部４２の周方向の全体に配置してもよい。
【００４６】
（６）塗料捕捉機構４０は、塗装室２０から排出される空気が流れる経路に設けられていればよく、例えば、塗装室２０の空気が側方に排出される場合には、塗装室２０の側方に塗料捕捉機構４０が備えられてもよい。この場合、回転ブラシ４１の回転軸部４２は、塗装ブース１０の長手方向に沿って配置される。
【００４７】
（７）櫛部材４５は、回転ブラシ４１の側方に配置されてもよい。この場合において、櫛背４５Ａは、回転軸部４１より上側に配置されても下側に配置されてもよい。櫛歯４５Ｂは、櫛背４５Ａから水平方向に突出してもよいし上下方向に突出してもよい。
【符号の説明】
【００４８】
１０    塗装ブース
２０    塗装室
３０    床下室
３６    フィルタ装置
３６Ｆ    捕捉フィルタ
４０    塗料捕捉機構
４１    回転ブラシ
４２    回転軸部
４３    ブラシ
４５    櫛部材
４７    傾斜底壁部
９１    オーバースプレー塗料
Ｗ    塗装対象ワーク（被塗着物）
【図１】
2018176030.tif 000003
【図２】
2018176030.tif 000004
【図３】
2018176030.tif 000005
【図４】
2018176030.tif 000006
【図５】
2018176030.tif 000007
【図６】
2018176030.tif 000008